(57)【要約】【課題】ランセット切開装置のための案内機構（１０）。【解決手段】案内機構（１０）は、シャフト（２２）を有するピストン（２０）と、シャフト（２２）から延びる複数のウィングまたはフィン（２４）と、複数の摺動係合構造体（２６）と、ランセットホルダ（２８）と、を含む。シャーシ（４０）は、本体（４２）と、複数の長手方向スリット（４４）または切り欠きと、複数の細長い係合構造体（４６）と、端開口部（４８）と、を有する。ピストンはシャーシ内を摺動し、ウィング／フィンはスリット／切り欠き内で係合する。これによってシャーシ内部におけるピストンの長手方向の直線状の案内が可能になる。
2013515510.tif 000002
【特許請求の範囲】
【請求項１】
ランセット切開装置用の案内機構であって、
シャフト、前記シャフトから延びる複数のフィン、前記フィンの末端における複数の摺動係合構造体、およびランセットホルダを備えるピストンと、
側壁によって境界を画された細長い中空チャンバを備えるシャーシと、を含み、
前記側壁は、前記側壁に形成された案内チャネルと、前記案内チャネルに沿った係合面と、を備え、
前記ピストンの前記フィンが前記シャーシの前記案内チャネル内に受けられ、前記ピストンの前記摺動係合構造体が前記シャーシの前記係合面と位置合わせされた状態で、前記ピストンが前記シャーシの前記中空チャンバ内を自在に摺動する、案内機構。
【請求項２】
前記複数の摺動係合構造体が、傾斜した面を備える、請求項１に記載の案内機構。
【請求項３】
前記ピストンの前記シャフトが、前記シャーシの後方の開口部を貫いて延びる、請求項１に記載の案内機構。
【請求項４】
前記複数のフィンが、前記シャフトの径方向に対向した側面から径方向外向きに延びる第１のフィンおよび第２のフィンを備える、請求項１に記載の案内機構。
【請求項５】
請求項１に記載の案内機構と、切開行程に沿って前記ピストンを推進する手段と、を備えるランセット切開装置。
【請求項６】
切開行程に沿って前記ピストンを推進する前記手段が、ばね駆動機構を備える、請求項５に記載のランセット切開装置。
【請求項７】
ハウジングと、直線状移動経路に沿って前記ハウジングに対して平行移動するように取り付けられたランセットと、を備えるランセット切開装置案内機構であって、
前記ハウジングが、前記ランセットの直線状移動経路と平行に延びる直線状のスロットを画成し、
前記ハウジングが、前記スロットに沿ってハウジング案内面を備え、
前記ランセットが、前記ランセットから延びてランセット案内面を有するウィングを備え、
前記ウィングが、前記スロットを貫いて延び、
前記ランセット案内面が、前記ハウジング案内面に沿って摺動して、前記ランセットを拘束してその直線状の移動経路に沿って並進運動させる、ランセット切開装置案内機構。
【請求項８】
前記ランセットが、前記ランセットの直線状移動経路に沿って少なくとも第１の方向に第１のばねによって繰り出される、請求項７に記載のランセット切開装置案内機構。
【請求項９】
前記第１のばねが、前記ランセットを第１の方向に繰り出し、
前記第１のばねが、前記第１の方向と反対の第２の方向に前記ランセットを引き込む、請求項８に記載のランセット切開装置案内機構。
【請求項１０】
前記ランセットを引き込むように前記第１のばねと反対に前記ランセットを付勢する第２のばねをさらに備える、請求項８に記載のランセット切開装置案内機構。
【請求項１１】
前記ランセットが、前記ばねに直接結合される、請求項８に記載のランセット切開装置案内機構。
【請求項１２】
前記ランセットが、前記ばねに結合されたランセットキャリアと係合する、請求項８に記載のランセット切開装置案内機構。
【請求項１３】
前記ランセットが、前記ばねに結合されたキャリア台と係合する、請求項８に記載のランセット切開装置案内機構。
【請求項１４】
前記ランセット案内面および前記ハウジング案内面が、角度を付けて傾斜しており、前記ランセットの直線状の移動経路に対して傾斜した平面に沿って向かい合っている、請求項７に記載のランセット切開装置案内機構。
【請求項１５】
前記ランセット案内面が、内向きに角度を付けて傾斜した第１の面および第２の面を有する鳩尾断面形状を有し、
前記内向きに角度を付けて傾斜した第１の面および第２の面が、前記ハウジングの、前記スロットの対向する両側面に沿って延びる外向きに角度を付けて傾斜した第１の面および第２の面と向かい合っている、請求項１４に記載のランセット切開装置案内機構。
【請求項１６】
前記ハウジングが、第２のスロットを画成し、
前記第２のスロットが、前記第１のスロットと対向して、前記ランセットの直線状の移動経路に対して平行に延びる、請求項７に記載のランセット切開装置案内機構。
【請求項１７】
使い捨てのランセット切開装置を備える、請求項７に記載のランセット切開装置案内機構。
【請求項１８】
ランセット切開装置への装脱のために交換可能なカートリッジを備える、請求項７に記載のランセット切開装置案内機構。
【請求項１９】
ランセット切開装置案内機構と組み合わせて使用するためのランセットであって、
前記ランセット切開装置案内機構が、直線状のスロットが形成されたハウジングと、キャリア台と、前記ハウジングと前記キャリア台の間に結合されたばねと、を含み、
前記ランセットが、
ランセット本体と、
前記ランセット本体から軸方向に突出する鋭利なランセット先端部と、
前記ランセット本体から前記軸方向に対して略垂直に横方向へと延びるウィングと、
前記ウィングから前記横方向に対して傾斜した方向に延びるランセット案内面と、
前記キャリア台に解放可能に取り付けるためのカップリングと、を備え、
前記ウィングが、前記ハウジングの前記スロットを貫いて延びるように構成され、
前記ウィングが、前記ランセット案内面を、前記ハウジングの前記スロットに沿って延びるハウジング案内面に沿って摺動する関係に位置決めするように構成される、ランセット。
【請求項２０】
前記ウィングが、第１のウィングを備え、
前記ランセットが、前記第１のウィングと対向して前記ランセット本体から延びる第２のウィングをさらに備える、請求項１９に記載のランセット。
【請求項２１】
前記ランセット案内面が、前記ウィングの自由端に台形断面形状を有する、請求項１９に記載のランセット。
【請求項２２】
前記カップリングが、前記ランセット本体の後面に形成された開口したレシーバを備える、請求項１９に記載のランセット。
【発明の詳細な説明】
【技術分野】
【０００１】
関連出願の相互参照
本願は、２００９年１０月２２日出願の米国仮特許出願第６１／２５４，０４７号の優先権の利益を主張し、その全体は参照によりここに援用される。
【０００２】
本発明は一般に医療装置の分野に関し、より詳細には、ランセット切開装置（lancing device）およびランセット切開装置用の案内機構に関する。
【背景技術】
【０００３】
医療処置の多くでは、被験動物または被験者の皮膚、時にはその下に位置する組織を穿刺する必要がある。被験体の皮膚を切開部位で穿刺するには、例えば、鋭利なランセット先端部が一般に使用される。この穿刺は、例えば糖尿病患者による血液／グルコースの監視や血液型判定およびスクリーニングにおいて、血液または他の体液のサンプルを得るために行われる。ランセットを、収縮位置または遮蔽位置と、ランセット先端部が皮膚を穿刺する伸張位置と、の間の移動経路に沿って動かすため、ばね式または他の方法で付勢される駆動機構を有するランセット切開装置がしばしば用いられる。
【０００４】
周知のランセット切開装置としては、２つの部分的なシェルの間、あるいは管状のキャリアの内部にランセットホルダを位置させることによって、ランセットの経路を案内しようとするものがある。上記部分的シェル方式では、２つ（またはそれ以上）のシェルが採用され、これらのシェルが接着剤、超音波溶接、圧潰嵌合、スナップ、ねじ、またはその他の固定方法を使用して互いに固定される。残念ながら、この方式には、シェルの製造に使用される製造プロセス固有の寸法のばらつき（公差）に加えて、固定方法に付随する公差も存在する。この公差により、一般的には（嵌合が過度に緊密であると、ランセットホルダに対して減速抵抗が有害な形で生じるため）、ランセットホルダの案内が厳密でなくなってしまう。この組立シェル方式に関する問題を克服するために、製造者らは、一体構造の、すなわち組立公差をなくした「管」を成形しようと試みてきた。しかしながら、この管には、部品を型からうまく取り出すため内面に抜き勾配を設ける必要があり、このこともやはりランセットの案内に悪影響を及ぼす可能性がある。
【発明の概要】
【発明が解決しようとする課題】
【０００５】
本発明が主に目的とするのは、改良型の案内機構を備えるランセット切開装置を提供することである。
【課題を解決するための手段】
【０００６】
例示的な実施形態において、本発明は、改良型のランセット切開装置と、ランセット切開装置と共に使用するための案内機構と、に関する。上記案内機構は、例えば横向きの「ぶれ」または「よじれ」た動きといったランセット先端部の横方向の動きを低減し、真っ直ぐに直線的すなわち軸方向の切開行程を維持して、被験者の痛みの感覚を軽減する。
【０００７】
例示的な実施形態において、上記案内機構は、ピストンおよび案内シャーシを備える。上記ピストンは、本体、複数のウィングまたはフィン、複数の摺動係合構造体、およびランセットホルダまたはレシーバを備える。上記シャーシは、本体、複数の長手方向スリットまたはチャネル、複数の案内面、および端開口または開口部を備える。上記ピストンは、そのウィング／フィンがスリット／切り欠き内に係合した状態で、上記シャーシ内で平行移動式に摺動する。これにより、上記ピストンは長手方向に動くことができるようになる。
【０００８】
他の態様では、本発明は、ランセット切開装置の案内機構に関する。この案内機構は、シャフトを有するピストンと、上記シャフトから延びる複数のフィンと、上記フィンの末端における複数の摺動係合構造体と、ランセットホルダと、を含むと好ましい。上記案内機構はまた、好ましくは、側壁によって境界を画された細長い中空のチャンバを備えるシャーシを含み、上記側壁には案内チャネルが形成され、係合面がその案内チャネルに沿っている。上記ピストンは、そのピストンのフィンが上記シャーシの案内チャネル内部に受けられ、そのピストンの摺動係合構造体が上記シャーシの係合面と位置合わせされた状態で、上記シャーシの中空チャンバ内を自在に摺動する。
【０００９】
他の態様では、本発明は、ハウジングとこのハウジングに対して直線状移動経路に沿って平行移動するように取り付けられたランセットとを含んだランセット切開装置案内機構に関する。上記ハウジングは、ランセットの直線状移動経路と平行に延びる直線状のスロットを画成し、そのスロットに沿ってハウジング案内面を含んでいると好ましい。上記ランセットからランセット案内面を有するウィングが延びていると好ましく、上記ウィングは上記スロットを貫いて延び、ランセット案内面がハウジング案内面に沿って摺動し、ランセットを拘束してその直線状の移動経路に沿って並進運動させる。
【００１０】
他の態様では、本発明は、ランセット切開装置案内機構と組み合わせて使用するためのランセットに関する。ランセット切開装置案内機構は、直線状のスロットが形成されたハウジングと、キャリア台と、上記ハウジングと上記キャリア台の間に結合されたばねと、を含むと好ましい。上記ランセットは、ランセット本体と、上記ランセット本体から軸方向に突出する鋭利なランセット先端部と、ランセット本体から軸方向に対して略垂直な横方向に延びるウィングと、このウィングから横方向に対して傾斜した方向に延びるランセット案内面と、上記キャリア台に解放可能に取り付けるためのカップリングと、を含むと好ましい。上記ウィングは、上記ハウジングのスロットを貫いて延びるように、且つ上記ランセット案内面を、上記ハウジングのスロットに沿って延びるハウジング案内面に沿って摺動する関係に位置決めするように適合される。
【００１１】
本発明の上記およびその他の態様、特徴および利点は、図面の図および本明細書の詳細な説明を参照すると理解され、添付の特許請求の範囲で特に指摘される様々な要素および組合せによって実現されるだろう。前述の全般的な説明と後述の図面の簡単な説明および本発明の詳細な説明はいずれも、本発明の好ましい実施形態の例示的かつ説明的なものであり、特許請求の範囲に記載された本発明を限定するものではないことを理解されたい。
【図面の簡単な説明】
【００１２】
【図１】本発明の例示的実施形態によるランセット切開装置案内機構の斜視図である。
【図２】図１のランセット切開装置案内機構の正面端面図である。
【図３】図１のランセット切開装置案内機構のピストン構成部品の斜視図である。
【図４】図３のピストンの正面端面図である。
【図５】図１のランセット切開装置案内機構の案内シャーシ構成部品の斜視図である。
【図６】図５の案内シャーシの正面端面図である。
【図７Ａ】本発明の他の例示的実施形態によるランセット切開装置の斜視図である。
【図７Ｂ】本発明の他の例示的実施形態によるランセット切開装置の断面図である。
【図８Ａ】本発明の他の例示的実施形態によるランセット切開装置の斜視図である。
【図８Ｂ】本発明の他の例示的実施形態によるランセット切開装置のかくれ線付図である。
【図８Ｃ】本発明の他の例示的実施形態によるランセット切開装置の断面図である。
【図９Ａ】本発明のさらに他の例示的実施形態によるランセット切開装置の斜視図である。
【図９Ｂ】本発明のさらに他の例示的実施形態によるランセット切開装置のかくれ線付図である。
【図９Ｃ】本発明のさらに他の例示的実施形態によるランセット切開装置の断面図である。
【発明を実施するための形態】
【００１３】
以下の本発明の詳細な説明を、本開示の一部分を形成する添付の図面と併せて考慮することによって、本発明はより容易に理解されるだろう。本発明が本明細書に記載され且つ／または示されている特定の装置、方法、条件またはパラメータに限定されないことを理解されたい。また、本明細書で使用される技術は、例示のみのために特定の実施形態を説明するためのものであり、特許請求の範囲に記載された本発明を限定するものではないことを理解されたい。本明細書で特定されている任意かつ全ての特許およびその他の出版物は、本明細書にそれが完全に記載されているかのように参照により援用される。
【００１４】
また、本明細書（添付の特許請求の範囲を含む）で使用する限りにおいて、単数形の「１つ」および「前記」は複数を含み、特定の数値について言及した箇所は、その文脈で別途明示しない限り、少なくともその特定の値を含む。本明細書では範囲を、「約」もしくは「およそ」の１つの特定の値から、且つ／または「約」もしくは「およそ」の別の特定の値まで示すことができる。かかる範囲が示されている場合、別の実施形態では、その一方の特定の値から且つ／またはもう一方の特定の値までを含む。同様に、各値が近似値として表される場合には、「約」を先行して使用することによって、この特定の値が別の実施形態を構成することが理解されるだろう。
【００１５】
次に各図面の図を参照すると、図１〜２は、ランセット切開装置のための案内機構１０を示す。尚、複数の図を通じて、対応する部品は同様の参照番号で示す。案内機構１０は一般に、ピストン２０と、案内シャーシまたはハウジング４０と、を備える。この案内機構１０の構成部品は、プラスチック、金属、セラミック、および／またはその他の材料から製造することができ、射出成形、反応射出成形、ダイカスト、機械加工、押出し加工、焼結、鋳造、熱成形、および／またはその他の製造技術によって形成することができる。
【００１６】
図３〜４から詳細に分かるように、ピストン２０は、シャフト２２と、シャフトから側方すなわち径方向に突出する複数のウィングまたはフィン２４と、ウィング／フィン２４の末端すなわち自由端にある複数の摺動フランジまたは係合構造体２６と、使い捨てのランセットと解放可能に係合するランセットホルダまたはキャリア２８と、を備える。シャフト２２は、大まかに細長い円筒形すなわち管状の構造体であり、長手方向の軸を規定する。任意選択的には、シャフト２２は、円形、矩形、またはその他の方法で構成された断面形状を有していてよく、中空、中実、またはその組合せであってよい。複数のウィングすなわちフィン２４は、シャフト２２と一体的に形成されるか、または他の方法でシャフト２２に取り付けられる。図示された実施形態では、径方向に対向する位置に配置された２つのウィング／フィン２４がシャフト２２の前端近傍に存在する。代替実施形態では、３つ以上のウィング／フィン２４が設けられていてもよく、ウィング／フィン２４が案内機構１０の設計に応じてシャフト２２の周りの様々な位置に隔置されていてもよい。ウィング／フィン２４は、略平坦で薄い平面構造体であり、シャフト２２の長手方向の軸と平行に位置合わせされてシャフト２２から外向きに延びる。
【００１７】
ウィング／フィン２４のそれぞれの末端に沿って、摺動係合構造体または支承面２６が配置される。図示された実施形態において、摺動係合構造体２６は、「鳩尾」断面形状を有する三角形または台形のフランジを備える。各鳩尾係合構造体２６の内向きに（すなわちシャフト２２の方を向いて）傾斜した面は、以下に述べるようにシャーシ４０の協働接触面と摺動式に係合する第１および第２のテーパ形の案内面２７を画成する。この第１および第２のテーパ形の案内面は、互いに対して略垂直または鈍角をなす方向を向いている。鳩尾係合構造体２６は、任意選択的に、この例示的な実施形態に図示されているようにウィング／フィン２４の末端の長手全体に沿って延びていてもよく、あるいはウィング／フィン２４の末端の一部に沿った短い距離だけ延びていてもよい。
【００１８】
シャフト２２の前端には、ランセットホルダ２８が位置する。図示された実施形態のランセットホルダ２８は、中空の円筒を有する。この円筒は、対応する寸法のランセットを受けてランセットと摩擦／締まり嵌めによって摩擦係合するための開口している前方の受け端を有する。代替実施形態では、ランセットは、１つ以上の解放可能なカップリングによってレシーバに保持されるか、あるいは使い捨てのランセット切開装置と同様にシャフトに恒久的に取り付けられるかまたは一体的に形成される。ランセットホルダ２８の後端は、シャフト２２に連結されるかシャフト２２と一体的に形成され、ランセットホルダ２８の中心軸はシャフト２２の長手方向の軸と大まかに位置合わせされる。
【００１９】
図５〜６から分かるように、案内シャーシ４０は、シャーシ本体４２と、複数のスリット／切り欠きまたは案内チャネル４４と、複数の細長い係合面４６と、開口している前端と、後方の開口部４８と、を備える。図示された実施形態では、シャーシ４０は略丸いコーナを有する矩形の断面形状を画成する。シャーシ４０は、大まかに中空で細長く、装置の組み立て時にシャフトの長手方向の軸と一致する中心軸を有する。案内チャネル４４は、中心軸と平行に、シャーシ４０の１つ以上の周壁に沿って延びる。図示された実施形態では、２つのスリット／切り欠き４４が対向する側面に配置されており、シャーシ４０の開口している前面から、シャーシ４０の側壁に沿って、シャーシ４０の長さの少なくとも一部に沿って長手方向に延びている。図示された実施形態では、スリット４４は、上記シャーシの開口している前端から少なくとも中程まで、好ましくはシャーシの長さの少なくとも約７５％まで延びるチャネルを形成する。
【００２０】
図１〜６に示された実施形態において、係合面４６は、内向きに凹んだ軌道４７を備える。軌道４７は、案内チャネル４４の対向する側面に沿って対で配置されている。係合面４６の軌道４７は、シャーシ４０の中心軸の方へ内向きに延び、外向きの接触面を有する。この外向きの接触面は、ピストン２０の鳩尾係合構造体２６のテーパ形をした内向きを向いた案内面２７に対して略対応すなわち略整合する角度で傾斜している。代替実施形態では、ピストンの案内面およびシャーシの係合面は、平面および／または湾曲面を有していてよい。例えば、平面の案内面とそれに対応した向きの平面の係合面により、２次元の接触面全体にわたる接触を実現できたり、湾曲した案内面とそれに対応して湾曲した係合面により３次元の接触平面全体にわたる接触を実現できたり、湾曲した案内面および平面の係合面（または逆の場合も同様）により、接触線に沿った接触を実現できたりする。シャーシの一方の側面上にある軌道４７と対向する側面上にある軌道４７との間の横方向間隔は、ウィング／フィン２４の全長によって定まるピストンの案内面２７同士の間隔に対応する。テーパ形の案内面２７と軌道４７の間の摺動接触と相互作用により、以下に詳細に説明するように切開行程に沿った厳密な直線状の軸方向の移動経路を維持しながら、シャーシ内部におけるピストン２０の滑らかな摺動動作が可能になる。後方の開口部４８は、シャーシ４０の後端に、動きを妨げない隙間嵌めによりピストン２０のシャフト２２を受けて通す位置／サイズで形成される。
【００２１】
使用時は、ピストンのシャフト２２がシャーシの後部にある開口部４８を貫いて延びると共に、ピストンのウィング／フィン２４がシャーシの案内チャネル４４を貫いて延びた状態で、ピストン２０がシャーシ４０内に組み立てられる。ピストンの鳩尾係合構造体２６は、ピストンの案内面２７がシャーシの軌道４７に沿って摺動する状態で、シャーシの係合面４６同士の間に配置される。ピストン２０およびシャーシ４０が自在に摺動するように接触していることにより、切開行程は直線状の経路に沿って制限される。軌道４７を、これと相補的な角度をなす鳩尾係合構造体２６の案内面２７と位置合わせすることにより、図２において軸Ｘで規定される第１の横方向（水平）、またはそれと垂直な軸Ｙで規定される第２の横方向（垂直）のぶれまたはよじれが阻止される。
【００２２】
切開行程中の横方向の動きが低減されることにより、組織があまり横に裂けることなく、皮膚表面にはより清潔な刺創が形成されるので、被験者が知覚する痛みが小さくなる。さらに、この案内機構１０の製造によれば、従来最も知られているランセット切開装置案内機構に存在した寸法公差を導入しなくても済むようになる。
【００２３】
図７Ａおよび７Ｂは、本発明の例示的形態によるランセット切開装置案内システムの代替実施形態１１０を示す。ランセット切開装置案内システム１１０は、開口した前端および閉じた後端を有する本体部分１２２を備えるハウジング１２０と、キャップ１２４とを含む。ハウジングおよびキャップは、組み立て時に、閉じたチャンバの境界を画す。本体１２２に沿って、１つ以上のスロット１２６が長手方向に延びる。キャップ１２４の端面には、ランセット開口１２８が形成される。キャップ１２４は、スナップカップリング１３０の対向する対により本体１２２に保持される。ランセット１４０は、ハウジング１２０のチャンバ内部に平行移動可能に取り付けられる。ランセット１４０は、前面から軸方向に突出する鋭利なランセット先端部１４４を有するランセット本体１４２と、側面部分から横方向に延びる１つ以上のアクチュエータウィング１４６と、を備える。ランセット切開位置に対して前方方向にランセットを付勢、推進するために、ハウジング１２０の閉じた後端とランセットの後面との間には、駆動ばね１５０が圧縮状態で設けられる。ランセット切開装置では、被験者の皮膚をサンプリング部位で切開するため、鋭利なランセット先端部１４４が外向きに延びる。切開後にランセットをランセット切開装置内部に遮蔽する引き込み位置まで付勢して引き込むため、キャップ１２４の内側の面とランセット本体１２２の前方肩面との間には、戻しばね１６０が圧縮状態で設けられる。１つ以上のアクチュエータウィング１４６は、スロット１２６を貫いて延び、その自由端に傾斜した接触面を有する。この接触面は、上述のものと同様の形で、ハウジング本体の対応する案内面と組み合わせてスロット１２６の両側面に沿って摺動接触／案内を行うために設けられている。このように構成されたシステム１１０は、独立型の使い捨てランセット切開装置を備えていてもよく、あるいは、不図示のランセット切開装置に挿入して共に使用するための交換可能なランセット／駆動装置／案内カートリッジを備えていてもよい。
【００２４】
図８Ａ、８Ｂおよび８Ｃは、本発明の例示的な形態によるランセット切開装置案内システムの別の代替実施形態２１０を示す。ランセット切開装置案内システム２１０は、開口した前端および閉じた後端を有するハウジング２２０を含む。ハウジングの両側面に沿って、スロット２３０が、ハウジングの長手の一部に沿って前端から延びる。上述した実施形態と同様に、ハウジングは、スロット２３０の長手に沿って延びる案内面２３２を有する。ランセット２４０は、ランセット本体２４２と、ランセット本体の前面から突出する鋭利なランセット先端部２４４と、ランセット本体の両側面から側方に延びる一対のウィング２４６と、を備える。ウィング２４６は、スロット２３０を貫いて延び、直線状の切開行程に沿ってランセット２４０を案内するために、ハウジングのスロット２３０に沿って案内面２３２に対応して傾斜した案内面２４８を有する。ウィング２４６は、ランセット本体２４２の単一部品として一体的に成形されてもよく、あるいは接着剤、摩擦嵌合、超音波溶接、またはその他の取り付け手段によって上記本体に取り付けられてもよい。ランセットの案内面２４８とハウジング２２０の案内面２３２の相互作用によって案内されるランセットを直線状の切開行程に沿って付勢、推進するため、単一の駆動／戻しコイルばね２６０は、ハウジング２２０の後端に連結された末端と、ランセット２４０に連結された基端と、を有する。
【００２５】
図９Ａ、９Ｂおよび９Ｃには、本発明の例示的形態によるランセット切開装置案内システムの他の代替実施形態３１０が示されている。ランセット切開装置案内システム３１０は、開口した前端および閉じた後端を有するハウジング３２０を含む。ハウジングの両側面に沿って、スロット３３０が、前端からハウジングの長手一部に沿って延びる。上述の実施形態と同様に、ハウジングは、スロット３３０の長手に沿って延びる案内面３３２を有する。ランセット３４０が、ランセット本体３４２と、ランセット本体の前面から突出する鋭利なランセット先端部３４４と、ランセット本体の両側面から側方に延びる一対のウィング３４６と、を備える。ウィング３４６はスロット３３０を貫いて延びる。また、ウィング３４６は、直線状の切開行程に沿ってランセット３４０を案内するために、ハウジングのスロット３３０に沿って案内面３３２に対応して斜めに傾斜した案内面３４８を有する。単一の駆動／戻しコイルばね３６０は、ハウジング３２０の後端に連結された末端と、キャリア台（carrier platform）３７０に連結された基端と、を有する。ランセット３４０は、キャリア台３７０と解放可能式に係合／取り外しするためのカップリングを含む。これにより、キャリア台をばね３６０に恒久的に取り付けたままで、ランセットを交換することが可能となる。このカップリングは、例えば、ランセット本体の後面におけるほぞ穴加工したレシーバと、キャリア台から突出してレシーバと解放可能に係合するための弾性的なフランジ付のハブと、を備えることができる。このように、ランセットは、再利用可能なランセット切開装置案内システムに抜き差しする使い捨ての構成部品であってよい。
【００２６】
好ましい例示的実施形態を参照して本発明を説明したが、以下の請求項によって定義される本発明の範囲内に様々な変更、追加および削除が含まれることが、当業者には理解されるだろう。
【図１】
2013515510.tif 000003
【図２】
2013515510.tif 000004
【図３】
2013515510.tif 000005
【図４】
2013515510.tif 000006
【図５】
2013515510.tif 000007
【図６】
2013515510.tif 000008
【図７Ａ】
2013515510.tif 000009
【図７Ｂ】
2013515510.tif 000010
【図８Ａ】
2013515510.tif 000011
【図８Ｂ】
2013515510.tif 000012
【図８Ｃ】
2013515510.tif 000013
【図９Ａ】
2013515510.tif 000014
【図９Ｂ】
2013515510.tif 000015
【図９Ｃ】
2013515510.tif 000016
【国際調査報告】
2013515510.tif 000017
2013515510.tif 000018
2013515510.tif 000019